(57)【特許請求の範囲】
【請求項１】
固定磁石の磁界中にムービングコイルを配置し、網枠内に張設したふるい網の上面または下面に前記ムービングコイルを固着し、種々の周波数成分が混在し波形や振幅が経時的に変動する音声電流を前記ムービングコイルに印加することにより前記ふるい網を振動させることを特徴とした電磁振動ふるい機。
【請求項２】
振動容器をモータによって振動せられるように支持し、ふるい網が張設された環状の網枠を該振動容器中に配置するとともに、固定磁石の磁界中にムービングコイルを配置し、前記ふるい網の上面または下面に前記ムービングコイルを固着し、種々の周波数成分が混在し波形や振幅が経時的に変動する音声電流を前記ムービングコイルに印加することにより前記ふるい網を振動させることを特徴とした電磁振動ふるい機。
【発明の詳細な説明】
【０００１】
【発明の属する技術分野】
本発明は、電磁力によってふるい網を振動させ、種々の粉体，粒体等をふるい分け，混合撹拌する振動ふるい機に関するものである。
【０００２】
【従来の技術】
特許第３１８０３４５号により開示された超音波振動装置、および、特開２０００−３３４３８４号により開示された超音波振動ふるい機、等により従来から超音波を利用した振動ふるい機は知られている。
【０００３】
ところで、従来のこの種の振動ふるい機は、超音波振動子を単一周波数で発振させるものであったので、ふるい網は画一化した単調な振動となり、そのためにふるい網上の粉体，粒体等の材料は変化の少ない画一化した一定の運動をするだけであった。このため、ふるい網上で材料がいっそう固まったり、或は目詰りを起し易く、必要なふるい分け能力が得られないことがあった。なお、このような欠点は高周波電流の周波数設定を予め適宜調節したとしても解消できなかった。
【０００４】
【発明が解決しようとする課題】
本発明は上記欠点を解消し、ふるい網を複雑な振動をさせることにより所要のふるい分け能力を発揮させるとともに、モータにより振動容器全体を振動させることでふるい網上の材料が移動せられ、高能率でふるい分けが行われる振動ふるい機を提供しようとするものである。
【０００５】
【課題を解決するための手段】
そのために本発明の電磁振動ふるい機は、固定磁石の磁界中にムービングコイルを配置し、網枠内に張設したふるい網の上面または下面に前記ムービングコイルを固着し、種々の周波数成分が混在し波形や振幅が経時的に変動する音声電流を前記ムービングコイルに印加することにより前記ふるい網を振動させることを特徴とする。
また本発明の電磁振動ふるい機は、振動容器をモータによって振動せられるように支持し、ふるい網が張設された環状の網枠を該振動容器中に配置するとともに、固定磁石の磁界中にムービングコイルを配置し、前記ふるい網の上面または下面に前記ムービングコイルを固着し、種々の周波数成分が混在し波形や振幅が経時的に変動する音声電流を前記ムービングコイルに印加することにより前記ふるい網を振動させることを特徴とする。
【０００６】
【実施の形態】
次に本発明の実施の形態を図面と共に説明する。図１に本発明に係る振動ふるい機の全体を縦断面図にて示し、１は基台、２は該基台上にコイルばね３により支持された振動容器である。該振動容器２は有底円筒状の容器本体２ａの上端開口縁に上部円筒体２ｂを金属バンド４によって継ぎ合せることで構成され、該上部円筒体２ｂの上部に材料投入口５、側壁に材料排出口６が夫々開設される。７は容器本体２ａの側壁に開設された材料排出口である。８は該容器本体２ａの下部に支持具９によって固設された振動用のモータ、１０，１１はそのモータ軸に取り付けられた非平衡重りである。
【０００７】
１２は容器本体２ａと上部円筒体２ｂとの間に外周鍔部を挟着することにより該振動容器２内に支持された環状の網枠で、該網枠内に金網等のふるい網１３がその周縁部を接着剤により接着することによって弛みなく水平に張設される。また、該網枠１２の下側に複数本の支持杆１５を放射状に溶接で固着し、磁石とムービングコイルとからなる電磁誘導振動子１６を該支持杆１５の交差部にボルト１５ａより固着し、該電磁誘導振動子１６をふるい網１３の下部に支持する。
【０００８】
該電磁誘導振動子１６は、図２，図３に示したように、ヨーク１８に永久磁石であるリング状の固定磁石１７が装填され、該固定磁石の磁界中にボビン２０に電線を巻回してなるムービングコイル１９を配置し、該ムービングコイルのボビン２０の上端部をふるい網１３の下面に当接させ接着剤で固着する。なお、２１は該ボビン２０の上端部外周縁とヨーク１８の上部外周縁との間の隙間を覆うべく設けられた可撓性カバー、２２はムービングコイル１９より導出された電線ケーブル、２３は該電線ケーブルの接続ターミナルである。
【０００９】
そして、オーディオ信号が録音されたコンパクトディスク（ＣＤ）等を再生し得るプレヤー２４と、その出力信号増幅器２５とを図４に示したように繋ぎ、前記接続ターミナル２３を該増幅器２５の音声電流出力端子に繋いで上記ムービングコイル１９にその音声電流を印加する。この音声電流は、図５に波形を例示したように、種々の周波数成分が混在し、しかもその波形や振幅が経時的に変動するものであることを要することから、周波数成分が低音から高音まで広範囲（２０Ｈｚ〜２００００Ｈｚ）に混在し、しかもそれが経時的に変化する種々の器楽演奏が録音された音楽の録音から得られた音声電流が望ましい。このような音声電流がムービングコイル１９に印加されると、磁界中にあるムービングコイル１９は電磁誘導作用により振動し、ふるい網１３をこうした広範囲の周波数にて振動させ、その周波数や波形，振幅は経時的に変動するので、該ふるい網１３上の粉体，粒体等の材料を複雑に運動させ、高能率でふるい分け，混合撹拌することを可能にする。
【００１０】
また、前記モータ８により非平衡重り１０，１１を回転させることにより、振動容器２全体が振動する。このモータ８による振動はその回転軸の回転速度に依るものであるので、周波数が２０Ｈｚ〜６０Ｈｚと低く、振幅は０．８ｍｍ〜１０ｍｍと大きな値となる。このため、ふるい網１３上の材料はその振動にともない該ふるい網１３上にて移動し、特に上記非平衡重り１０，１１のモータ軸に対する取付状態を変更することにより、該ふるい網上の材料を所望方向に回転運動させたり、あるいはその回転にともない外周方向あるいは中心に向けて移動させ拡散させたり集中させることができる。そしてその移動時にムービングコイル１９により該ふるい網が上記のような複雑な振動をすることから、該材料を高いふるい分け能力をもってふるい分けることができ、網目より落下した材料を排出口７より排出させる。このように、ムービングコイル１９による振動とモータ８による振動との相乗作用により、投入口５から投入された材料がふるい網上を連続的に移動し、高能力でふるい分けされる。
【００１１】
なおこの実施形態ではムービングコイル１９をふるい網１３の下面に接着剤で固着したが、電磁誘導振動子１６をふるい網１３の上部に設けてそのムービングコイルをふるい網１３の上面に固着してもよく、またその固着手段も接着剤を使用することの他、種々の公知手段を用いることができる。
またこの実施形態では、磁石とムービングコイルとからなる電磁誘導振動子を一機だけ設けた例を示したが、複数設けることでその加振能力をさらに高めることもできる。
【００１２】
【発明の効果】
このように、本発明の電磁振動ふるい機は、固定磁石の磁界中にムービングコイルを配置し、網枠内に略々水平に張設されたふるい網の上面または下面に前記ムービングコイルを固着し、種々の周波数成分が混在し波形や振幅が経時的に変動する音声電流を前記ムービングコイルに印加することにより前記ふるい網を振動させるものであるので、従来のふるい機のように単一周波数の振動を誘発するだけでなく、幅広い周波数で経時的にも変化に富んだ振動運動とすることができる。このため種々なる性状の粉体，粒体を極めて効率よくふるい分けられ、或は混合撹拌できるようにする有益な効果がある。
【図面の簡単な説明】
【図１】本発明に係る電磁振動ふるい機の実施の形態を示した縦断面図。
【図２】図１の電磁振動ふるい機の要部の縦断面図。
【図３】図２のＡ−Ａ線断面図。
【図４】本発明に係る電磁振動ふるい機の実施の形態を示した外観図。
【図５】本発明に係る電磁振動ふるい機における音声電流の一例を示した波形図。
【符号の説明】
１            基台
２            振動容器
２ａ          容器本体
２ｂ          上部円筒体
８            モータ
１０，１１    非平衡重り
１２          網枠
１３          ふるい網
１５          支持杆
１６          電磁誘導振動子
１７          固定磁石
１８          ヨーク
１９          ムービングコイル
２０          ボビン
２４          プレヤー
２５          出力信号増幅器
【図１】
0003837075.tif 000002
【図２】
0003837075.tif 000003
【図３】
0003837075.tif 000004
【図４】
0003837075.tif 000005
【図５】
0003837075.tif 000006